(57)【特許請求の範囲】
【請求項１】
ネットワークにより製造情報入力端末、検査情報入力端末、作業情報入力端末、およびレンズシート体の製造装置がサーバと接続され、レンズシート体を外観検査する必要性の有無を教示するシート体検査支援システムであって、
製造対象となる製造対象レンズシート体の検査ルールを前記製造対象レンズシート体の製品情報単位での入力を促す検査ルール入力画面を製造情報入力端末へ表示し、前記検査ルールの入力を促す検査ルール入力手段と、
前記検査ルール入力画面に対し入力された前記検査ルールを製品情報単位で記憶装置に記憶する検査ルール記憶手段と、
前記製造対象レンズシート体の原版情報を前記製造対象レンズシート体の製品情報単位での入力を促す原版情報入力画面を前記製造情報入力端末へ表示し、前記原版情報の入力を促す原版情報入力手段と、
前記原版情報入力画面に対し入力されたレンズシート体の原版情報を記憶装置に記憶する原版情報記憶手段と、
前記製造装置によって製造された製造レンズシート体の作業情報を前記製造レンズシート体の製品情報単位での入力を促す作業情報入力画面を前記作業情報入力端末へ表示し、前記作業情報の入力を促す作業情報入力手段と、
前記作業情報入力画面に対し入力されたレンズシート体の作業情報を記憶装置に記憶する作業情報記憶手段と、
前記製造レンズシート体のうち外観検査されたレンズシート体の前記作業情報と前記原版情報とに応じた検査情報の入力を促す検査情報入力画面を検査情報入力端末へ表示し、前記検査情報の入力を促す検査情報手段と、
前記検査情報入力画面に対し入力された検査情報を記憶する検査情報記憶手段と、
前記製造レンズシート体を検査する必要性の有無を、前記製造レンズシート体の前記作業情報、前記検査ルール、前記検査情報をもとに判定し、判定された結果を前記作業情報入力端末へ出力する判定出力手段と、
を備えることを特徴とするシート体検査支援システム。
【請求項２】
前記検査ルール入力手段は、入力者の識別内容を入力する入力者識別内容入力手段と、その識別内容が入力者自身に与えられたものであるかどうかを認証する検査ルール入力権限認証手段とを備え、前記検査ルール入力権限認証手段で権限有りと判断された場合は、前記レンズシート体の製品情報単位で検査ルールを入力するように促すことを特徴とする請求項１記載のシート体検査支援システム。
【請求項３】
前記原版情報入力手段は、入力者の識別内容を入力する入力者識別内容入力手段と、その識別内容が入力者自身に与えられたものであるかどうかを認証する原版情報入力権限認証手段とを備え、前記原版情報入力権限認証手段で権限有と判断された場合は、製品情報単位で前記原版情報を入力するように促すことを特徴とする請求項１記載のシート体検査支援システム。
【請求項４】
前記作業情報入力手段は、入力者の識別内容を入力する入力者識別内容入力手段と、その識別内容が入力者自身に与えられたものであるかどうかを認証する作業情報入力権限認証手段とを備え、前記作業情報入力権限認証手段で権限有と判断された場合は、製品情報単位で前記作業情報を入力するように促すことを特徴とする請求項１記載のシート体検査支援システム。
【請求項５】
記憶装置に記憶される検査ルールは、少なくとも製品名を含んでいることを特徴とする請求項１記載の検査支援システム。
【請求項６】
記憶装置に記憶される原版情報は、少なくともレンズシート体製造時に使用する原版を一意に識別する原版IDを含んでいることを特徴とする請求項１記載の検査支援システム。
【請求項７】
記憶装置に記憶される作業情報は、少なくとも製品名を含んでいることを特徴とする請求項１記載の検査支援システム。
【請求項８】
記憶装置に記憶される検査情報は、少なくとも検査対象のレンズシート体製造時に使用した原版IDを含んでいることを特徴とする請求項１記載の検査支援システム。
【発明の詳細な説明】
【技術分野】
【０００１】
本発明は、レンズパターンを有する原版からレンズシート体を製造する工程の目視検査において、検査員に対しレンズシート体を検査する必要性があるかどうかを教示するシート体検査支援システムに関する。
【背景技術】
【０００２】
従来、レンズパターンを有する原版からレンズシート体を製造する工程に関わらず、製品の検査支援は自動検査機を利用し、その情報を効率良く検査員に提供することにより検査員の負荷を軽減するシステムがある（特許文献１）。
一方、また、検査情報の履歴を利用することで、変更の必要のない情報を検査入力画面において自動表示することにより、検査員の負荷を軽減するようなシステムがある（特許文献２）。
【特許文献１】特開平０６−６６５３２号公報
【特許文献２】特開２００５−２９６０４９号公報
【発明の開示】
【発明が解決しようとする課題】
【０００３】
しかしながら、レンズパターンを有する原版からレンズシート体を製造する工程は、自動検査機を適用することが技術的に困難であり、たとえ実現できたとしてもコスト的に合わない場合がある。また、検査情報の履歴を利用して検査入力の負荷を軽減するようなシステムは全てのシートを検査することに変わりはなく、レンズシート体を検査するという実質的な検査員の負荷の軽減にはなっていない。
【０００４】
このため、レンズパターンを有する原版からレンズシート体を製造する工程は、ほとんどの場合、検査員により全てのレンズシート体の目視検査が必要となるが、検査時間が製造工程のタクトタイムより遅い場合は生産効率が悪化するといった状況が生じる。
また、検査員によりレンズシート体を検査の場所まで運ぶ必要がある場合は、その間に傷等が発生する可能性があり、収率悪化の原因となる。
【０００５】
本発明はこのような事情に鑑みてなされたものであり、レンズパターンを有する原版から複版されたレンズシート体の検査必要性の有無を検査員へ教示するシート体検査支援システムを提供することを目的とする。
【課題を解決するための手段】
【０００６】
上記の目的を解決するために、請求項１の発明によるシート体検査支援システムは、ネットワークにより製造情報入力端末、検査情報入力端末、作業情報入力端末、およびレンズシート体の製造装置がサーバと接続され、レンズシート体を外観検査する必要性の有無を教示するシート体検査支援システムであって、製造対象となる製造対象レンズシート体の検査ルールを前記製造対象レンズシート体の製品情報単位での入力を促す検査ルール入力画面を製造情報入力端末へ表示し、前記検査ルールの入力を促す検査ルール入力手段と、前記検査ルール入力画面に対し入力された前記検査ルールを製品情報単位で記憶装置に記憶する検査ルール記憶手段と、前記製造対象レンズシート体の原版情報を前記製造対象レンズシート体の製品情報単位での入力を促す原版情報入力画面を前記製造情報入力端末へ表示し、前記原版情報の入力を促す原版情報入力手段と、前記原版情報入力画面に対し入力されたレンズシート体の原版情報を記憶装置に記憶する原版情報記憶手段と、前記製造装置によって製造された製造レンズシート体の作業情報を前記製造レンズシート体の製品情報単位での入力を促す作業情報入力画面を前記作業情報入力端末へ表示し、前記作業情報の入力を促す作業情報入力手段と、前記作業情報入力画面に対し入力されたレンズシート体の作業情報を記憶装置に記憶する作業情報記憶手段と、前記製造レンズシート体のうち外観検査されたレンズシート体の前記作業情報と前記原版情報とに応じた検査情報の入力を促す検査情報入力画面を検査情報入力端末へ表示し、前記検査情報の入力を促す検査情報手段と、前記検査情報入力画面に対し入力された検査情報を記憶する検査情報記憶手段と、前記製造レンズシート体を検査する必要性の有無を、前記製造レンズシート体の前記作業情報、前記検査ルール、前記検査情報をもとに判定し、判定された結果を前記作業情報入力端末へ出力する判定出力手段と、を備えることを特徴とする。
【０００７】
検査ルール入力手段では、同一ネットワーク内に接続された製造情報入力端末から少なくとも製品名を含んでいる検査ルール情報を入力するように促し、検査ルール記憶手段では、製造情報入力端末から入力された少なくとも製品名を含んでいる検査ルールを、同一ネットワークを介して取得し、記憶装置に記憶する。
原版情報入力手段では、同一ネットワーク内に接続された製造情報入力端末から少なくともレンズシート体製造時に使用する原版を一意に識別する原版IDを含んでいる原版情報を入力するように促し、原版情報記憶手段では、製造情報入力端末から入力された少なくともレンズシート体製造時に使用する原版を一意に識別する原版IDを含んでいる原版情報を同一ネットワークを介して取得し、記憶装置に記憶する。
作業情報入力手段では、同一ネットワーク内に接続された作業情報入力端末から少なくとも製品名を含んでいる作業情報を入力するように促し、作業情報記憶手段では、作業情報入力端末から入力された少なくとも製品名を含んでいる作業情報を同一ネットワークを介して取得し、記憶装置に記憶する。
検査情報手段では、同一ネットワーク内に接続された検査情報入力端末から少なくとも検査対象のレンズシート体製造時に使用した原版IDを含んでいる検査情報を入力するように促し、検査情報記憶手段では、検査情報入力端末から入力された少なくとも検査対象のレンズシート体製造時に使用した原版IDを含んでいる検査情報を同一ネットワークを介して取得し、記憶装置に記憶する。
【０００８】
請求項２の発明は、レンズシート体の検査ルール入力の前に、検査ルール入力者の識別内容を入力する入力者識別内容入力手段と、その識別内容が入力者自身に与えられたものであるかどうかを認証する検査ルール入力権限認証手段を備えている。そして、検査ルール入力権限認証手段で権限有と判断された場合は、製品情報単位で検査ルールを入力するように促す手段を有している。
【０００９】
請求項３の発明は、レンズシート体の原版情報入力手段が、レンズシート体の原版情報入力の前に、原版情報入力者の識別内容を入力する入力者識別内容入力手段と、その識別内容が入力者自身に与えられたものであるかどうかを認証する原版情報入力権限認証手段を備え、原版情報入力権限認証手段で権限有と判断された場合は、製品情報単位で原版情報を入力するように促すことを特徴とする。
【００１０】
請求項４の発明は、レンズシート体の作業情報入力手段は、入力者の識別内容を入力する入力者識別内容入力手段と、その識別内容が入力者自身に与えられたものであるかどうかを認証する作業情報入力権限認証手段とを備え、前記作業情報入力権限認証手段で権限有と判断された場合は、製品情報単位で前記作業情報を入力するように促すことを特徴とする。
【００１１】
請求項５の発明は、記憶装置に記憶される検査ルールが、少なくとも製品名を含んでいることを特徴とする。
【００１２】
請求項６の発明は、記憶装置に記憶される原版情報は、少なくともレンズシート体製造時に使用する原版を一意に識別する原版IDを含んでいることを特徴とする。
【００１３】
請求項７の発明は、記憶装置に記憶される作業情報は少なくとも製品名を含んでいることを特徴とする。
【００１４】
請求項８の発明は、記憶装置に記憶される検査情報が、少なくとも検査対象のレンズシート体製造時に使用した原版IDを含んでいることを特徴とする。
【発明の効果】
【００１６】
本発明のシート体検査支援システムによれば、検査ルールと原版情報と作業情報および検査情報を、同一ネットワークを介して記憶装置に記憶させることができ、同一ネットワークを介して記憶装置に記憶された少なくとも同じ原版IDを持つ検査情報と予め与えられた検査ルールから、レンズシート体の検査必要性の有無を自動的に判断し、検査員へ教示することができ、生産効率、製品収率、作業員の実質的な負荷の軽減を図れるシート体検査支援システムを提供できる効果がある。
【発明を実施するための最良の形態】
【００１７】
以下、本発明に係るシート体検査支援システムの実施例１を、図面を用いて詳細に説明する。図１は、本実施例１のシート体検査支援システムの概要を示すブロック図である。
このシート体検査支援システムは、ソフトウェア部（検査ルール入力手段、検査ルール記憶手段、原版情報入力手段、原版情報記憶手段、作業情報入力手段、作業情報記憶手段、検査情報手段、検査情報記憶手段、判定出力手段、入力者識別内容入力手段、レンズシート体毎検査ルール入力権限認証手段、レンズシート体原版情報入力権限認証手段、レンズシート体作業情報入力権限認証手段）１３および記憶装置１２を有したサーバと、前記サーバとネットワークLAN１００により接続された製造情報入力端末１１、検査情報入力端末１６および作業情報入力端末１７と、前記サーバと接続された製造装置１４およびパトライト装置１５を備えた構成である。
【００１８】
サーバのソフトウェア部１３は、製造情報入力端末１１から検査ルールとレンズシート体の原版情報を記憶装置１２へ書き込むためのソフトウェア、作業情報入力端末１７から作業単位とレンズシート体の原版情報を記憶装置１２へ書き込むためのソフトウェア、記憶装置１２から原版情報、検査ルール、検査情報を読み出すためのソフトウェア、原版情報、検査ルール、検査情報から検査必要性の有無を判断し、パトライト１５及び検査情報入力端末１６へ検査必要性の有無を出力するためのソフトウェアを備えている。
サーバの記憶装置１２は、例えばハードディスクなどにより構成されている。
ネットワークLAN１００は、前記サーバと製造情報入力端末１１、検査情報入力端末１６および作業情報入力端末１７とを接続する。製造装置１４およびパトライト装置１５はネットワークLAN１００により前記サーバと接続されていても良いし、あるいはネットワークLAN１００と異なる信号線により前記サーバと接続されていてもよい。
製造装置１４は、レンズシート体を製造する装置であり、搬送機構やシーケンサなどの制御装置を含む。
パトライト装置１５は、検査必要性の有無をライトを点灯あるいは点滅させることで表示する装置である。
製造情報入力端末１１は、ソフトウェア部１３を利用して検査ルールとレンズシート体の原版情報を記憶装置１２へ書き込むための装置である。
検査情報入力端末１６は、ソフトウェア部１３を利用して検査情報を記憶装置１２へ書き込むための装置である。
作業情報入力端末１７は、ソフトウェア部１３を利用して作業単位とレンズシート体の原版情報を記憶装置１２へ書き込むための装置である。
【００１９】
次に動作について説明する。
このシート体検査支援システムでは、必要な情報として、ソフトウェア部１３を利用して製造情報入力端末１１から検査ルールとレンズシート体の原版情報を記憶装置１２へ書き込む。
次に、ソフトウェア部１３を利用して、作業情報入力端末１７から作業単位とレンズシート体の原版情報を記憶装置１２へ書き込む。
次に、レンズシート体が製造され検査エリアに到達したところで、ソフトウェア部１３は、記憶装置１２から原版情報、検査ルール、検査情報を取得する。
そして、取得した原版情報、検査ルール、検査情報から検査必要性の有無を判断し、パトライト１５及び検査情報入力端末１６へ検査必要性の有無を出力する。
ここで、検査員は、要検査と判断されたレンズシート体を検査し、ソフトウェア部１３を利用して検査情報入力端末１６から検査情報を記憶装置１２へ書き込む。
尚、本システムの特徴として、原版情報、検査ルール、検査情報からレンズシート体の検査必要性の有無を、ソフトウェア部を利用して自動で判断し、検査員へ教示する。
【００２０】
次に、図２のフローチャートにより、検査ルール及び原版情報の登録までの流れを説明する。
検査ルール及び原版情報の登録では、まず、認証過程でソフトウェア部１３を使用して検査ルール及び原版情報を入力する権限があるかどうかを判定する（ステップＳ２１）。
この認証過程では、図５に例示するような認証画面から入力操作を行う。
まず、識別キー５１とパスワード５２を入力し、送信ボタン５３を押下すると権限有無の確認をソフトウェア部１３が行う。
権限有と判断されなかった場合は、再度、図５の認証画面を表示し、入力を使用者に促す。
権限有と判断された場合は、ステップＳ２２の処理区分過程へ遷移する。
【００２１】
処理区分過程では、図６に例示するような選択画面から検査ルール６１又は原版情報６２の選択を行う（ステップＳ２２）。
検査ルールボタン６１が押下された場合はステップＳ２３の検査ルール入力処理過程へ、原版情報ボタン６２が押下された場合はステップＳ２４の原版情報入力過程へ遷移する。
【００２２】
ここでステップＳ２３の検査ルール入力処理過程を、図３のフローチャートを用いて説明する。この検査ルール入力処理過程では、図７に示すような画面が製造情報入力端末１１に表示される。先ず、ステップＳ３１の検査ルール入力・変更処理では、製品名７２から検査間隔７４を入力し、登録ボタン７５または更新ボタン７６が押下されると、ソフトウェア部１３を介して記憶装置１２に送信される。
次に、ステップＳ３２の処理区分過程では、登録ボタン７５が押下された場合はステップＳ３３の検査ルール記憶処理過程へ、更新ボタン７６が押下された場合はステップＳ３４の検査ルール更新処理過程へ遷移する。
ここで、製品名７２から検査間隔７４の１つでも入力漏れがあった場合は、製造情報入力端末１１にエラーが表示される。
【００２３】
ステップＳ３３の検査ルール記憶過程では、ステップＳ３１の検査ルール入力・変更処理で送信されたデータを記憶装置１２に記憶する。
ここで、記憶装置に正しくデータが登録されなかった場合は、ソフトウェア部１３を介して、製造情報入力端末１１にエラーが表示される。
【００２４】
ステップＳ３４の検査ルール更新過程では、ステップＳ３１の検査ルール入力・変更処理で送信されたデータで記憶装置１２を更新する。
ここで、記憶装置１２に正しくデータが更新されなかった場合は、ソフトウェア部１３を介して、製造情報入力端末１１にエラーが表示される。
【００２５】
次に、ステップＳ２４の原版情報入力処理過程を説明する。図４は、この原版情報入力処理過程を示すフローチャートである。この原版情報入力処理過程では、図８に示す画面が製造情報入力端末１１に表示される。先ず、ステップＳ４１の原版情報入力・変更では、原版ID８２と製品名８３を入力し、登録ボタン８４又は更新ボタン８５を押下すると、ソフトウェア部１３を介して記憶装置１２に送信される。
次に、ステップＳ４２の処理区分過程では、登録ボタン８４を押下した場合はステップＳ４３の原版情報記憶処理過程へ、更新ボタン８５を押下した場合はステップＳ４４の原版情報更新処理過程へ遷移する。
ここで、原版ID８２又は製品名８３に入力漏れがあった場合は、製造情報入力端末１１にエラーが表示される。
【００２６】
ステップＳ４３の原版情報記憶過程では、ステップＳ４１の原版情報入力・変更処理で送信されたデータを記憶装置１２に記憶する。
ここで、記憶装置１２に正しくデータが登録されなかった場合は、ソフトウェア部１３を介して、製造情報入力端末１１にエラーが表示される。
【００２７】
ステップＳ４４の原版情報更新過程では、ステップＳ４１の原版情報入力・変更処理で送信されたデータで記憶装置１２を更新する。
ここで、記憶装置１２に正しくデータが更新されなかった場合は、ソフトウェア部１３を介して、製造情報入力端末１１にエラーが表示される。
【００２８】
次に作業情報の登録までの流れを説明する。図９は、この作業情報の登録までの流れを示すフローチャートである。先ず、ステップＳ９１の認証過程では、ソフトウェア部１３を使用して作業情報を入力する権限があるかどうかを判定する。この認証過程では、ステップＳ２１の認証過程と同様に、図５に例示するような認証画面から入力操作を行う。
まず、識別キー５１とパスワード５２を入力し、送信ボタン５３を押下すると権限有無の確認をソフトウェア部１３が行う。
権限有と判断されなかった場合は、再度、図５の認証画面を表示し、入力を使用者に促す。
権限有と判断された場合は、ステップＳ９２の製品名・作業単位入力過程へ遷移する。
【００２９】
ステップＳ９２の製品名・作業単位入力過程からステップＳ９７の作業情報記憶過程では、図１２に例示するような画面から作業情報の登録を行う。
ステップＳ９２の製品名・作業単位入力過程では、製品名入力欄１２１へレンズシート体の製品名と、作業単位入力欄１２２へレンズシート体製造時の作業単位を入力する。
作業単位は、例えば、材料受入時のパレット単位といったものである。
【００３０】
次に、ステップＳ９３の原版情報削除処理過程を図１０を用いて説明する。
ステップＳ１０１の原版情報選択処理過程では、図１２に示す原版台使用状況一覧１２３よりデータ行を選択すると、選択されたデータ行の原版台No.と原版IDが原版台No.表示欄１２４と原版ID表示欄１２５へ表示される。
次に、ステップＳ１０２の原版情報削除処理過程では、削除ボタン１２７を押下すると、原版台No.表示欄１２４と原版ID表示欄１２５に表示されている内容が原版台使用状況一覧１２３から削除される。
ここで、ステップＳ９３の原版情報削除処理過程は、削除対象原版IDを全て削除するまで繰返す。
【００３１】
次に、ステップＳ９５の原版情報登録処理過程を図１１を用いて説明する。
ステップＳ１１１の原版台選択処理過程では、図１２に示す原版台使用状況一覧１２３より原版IDが未登録状態の原版台No.を選択すると、選択された原版台No.は原版台No.表示欄１２４へ表示される。
次に、ステップＳ１１２の原版ID選択処理過程で使用可能原版ID一覧１２８より原版IDを選択すると、選択された原版IDは、原版ID表示欄１２５へ表示される。
最後に、ステップＳ１１３の原版情報登録処理過程では、登録ボタン１２６を押下すると、原版ID表示欄１２５に表示されている内容が原版台使用状況一覧１２３へ登録される。
ここで、ステップＳ９４の原版情報登録処理過程は、登録対象原版IDを全て登録するまで繰返す。
【００３２】
ステップＳ９７の作業情報記憶過程では、登録ボタン１２９を押下すると、ソフトウェア部１３を介して記憶装置１２に作業情報である製品名、作業単位、原版台使用状況一覧より未登録以外のデータを送信する。
ここで、ステップＳ９７の作業情報記憶過程で記憶装置１２に記憶させる作業情報の内容は、図１３のように例示される。
また、記憶装置１２に正しくデータが更新されなかった場合は、ソフトウェア部１３を介して、作業情報入力端末１７にエラーが表示される。
【００３３】
次に、図１４のフローチャートにより検査情報登録までの流れを説明する。
ステップＳ１４１の作業単位取得過程では、ソフトウェア部１３を利用して記憶装置１２から作業単位を取得し、ステップＳ１4２の原版台No.取得過程では、ソフトウェア部を介して製造装置１４から検査対象であるレンズシート体の製造時に使用した原版台No.を取得する。
次に、ステップＳ１４３の原版ID取得処理過程では、ステップＳ１４１の作業単位取得過程で取得した作業単位とステップＳ１４２の原版台No.取得過程で取得した原版台No.をキーワードにソフトウェア部を利用して、記憶装置１２から原版IDを取得する。
【００３４】
ステップＳ１４４の作業単位・原版ID表示処理過程では、検査情報入力端末１６にて、図１５に例示するような画面の作業単位表示欄１５１へステップＳ１４１の作業単位取得処理過程で取得した作業単位、原版ID表示欄１５２へステップＳ１４３の原版ID取得処理過程で取得した原版IDが表示される。
【００３５】
ステップＳ１４５の検査情報入力処理過程では、検査対象となったレンズシート体の検査結果を入力する。レンズシート体の検査は検査員が行い、その結果、良品と判断された場合は判定OK１５３にチェックし、不良品と判断された場合は判定NG１５４にチェックする。
また、不良内容は不良入力欄１５５に入力し、伝達事項は備考入力欄１５６に入力する。
【００３６】
ステップＳ１４６の作業単位通過枚数取得処理過程では、登録ボタン１５７が押下されると、作業単位におけるレンズシート体の検査エリア通過枚数を取得し、入力された検査情報と共にソフトウェア部１３を介して記憶装置１２に送信する。
【００３７】
ステップＳ１４７の検査情報記憶処理過程では、ステップＳ１４５の検査情報入力処理過程とステップＳ１４６の作業単位通過枚数取得処理過程で送信されたデータを記憶装置１２に記憶する。
ここで、ステップＳ１４７の検査情報記憶処理過程で記憶させる検査情報の内容は、図１６のように例示される。
また、記憶装置１２に正しくデータが登録されなかった場合は、ソフトウェア部１３を介して、検査情報入力端末１６にエラーが表示される。
【００３８】
次に、図１７のフローチャートを参照して検査必要性有無出力までの流れを説明する。
先ず、ステップＳ１７１の検査エリアワーク到達判断過程では、レンズシート体が検査エリアに到達したかどうか判断する。
検査エリアに到達した場合は、製造装置１４よりソフトウェア部１３へワーク到達信号と検査エリアに到達したレンズシート体を製造するのに使用した原版台No.を送信し、ステップＳ１７２の作業単位取得処理過程へ遷移する。
【００３９】
ステップＳ１７２の作業単位取得処理過程では、ソフトウェア部１３にてワーク到達信号を受信後、記憶装置１２から作業単位を取得する。
次に、ステップＳ１７３の原版ID取得処理過程では、ステップＳ１７２の作業単位取得処理過程で取得した作業単位と製造装置より取得した原版台No.をキーワードにソフトウェア部１３を利用して記憶装置１２より原版IDを取得する。
そして、ステップＳ１７２の作業単位取得処理過程で取得した作業単位と、ステップＳ１７３の原版ID取得処理過程で取得した原版IDをキーワードにステップＳ１７４の検査情報取得処理過程にて検査情報を取得する。
検査情報を取得できた場合はステップＳ１７５の製品名取得処理過程へ遷移し、取得できなかった場合は検査必要性有りと判断し、ステップＳ１８２の検査必要性有出力処理過程にてパトライト１５及び検査情報入力端末１６を利用して検査員へ教示する。
【００４０】
ステップＳ１７５の製品名取得処理過程では、ソフトウェア部１３を利用し作業情報として記憶装置１２に登録されている製品名を取得し、ステップＳ１７６の検査ルール取得処理過程では、ステップＳ１７５の製品情報取得処理過程で取得した製品名をキーワードに記憶装置１２より検査ルールを取得する。
ここで、記憶装置から検査ルールを取得できない場合は、検査情報端末１６にエラーが表示される。
【００４１】
ステップＳ１７８の作業単位通過枚数取得処理過程では、記憶装置１２より作業単位におけるレンズシート体の検査エリア通過枚数を取得する。
次に、ステップＳ１７９の検査間隔演算処理過程では、ステップＳ１７８の作業単位通過枚数取得処理過程で取得した検査エリア通過枚数と最新の検査情報の作業単位検査エリア通過枚数の差分を計算し、ステップＳ１８０の検査間隔判断過程へ遷移する。
【００４２】
最後に、ステップＳ１８０の検査間隔判断過程では、ステップＳ１７６の検査ルール取得処理過程で取得した検査ルールの検査間隔とステップＳ１７９の検査間隔演算処理過程で求めた検査間隔との差分を求める。
この結果、“０”より大きい場合は、検査必要性無と判断し、ステップＳ１８１の検査必要性有出力処理過程にてパトライト１５及び検査情報入力端末１６を利用して検査員へ教示する。
“０”以下の場合は検査必要性有と判断し、ステップＳ１８２の検査必要性有出力過程にてパトライト１５および検査情報入力端末１６を利用して検査員へ教示する。
【００４３】
以上説明したようにこの実施例によれば、レンズシート体の検査必要性の有無を、作業情報、検査ルール、検査情報をもとにソフトウェア部を利用して自動で判断し、検査員へ教示でき、これにより、生産効率、製品収率、作業員の実質的な負荷の軽減に寄与することができる。
【図面の簡単な説明】
【００４４】
【図１】検査支援情報を提供するシステムの構成を示す図である。
【図２】検査ルールと原版情報入力に関するフローチャートを示す図である。
【図３】検査ルール入力処理に関するフローチャートを示す図である。
【図４】原版情報入力処理に関するフローチャートを示す図である。
【図５】認証システム画面を示す図である。
【図６】検査ルール又は原版情報入力選択画面を示す図である。
【図７】検査ルール入力画面を示す図である。
【図８】原版情報入力画面を示す図である。
【図９】作業情報入力に関するフローチャートを示す図である。
【図１０】原版情報削除処理に関するフローチャートを示す図である。
【図１１】原版情報登録処理に関するフローチャートを示す図である。
【図１２】作業情報入力画面を示す図である。
【図１３】作業情報の内容を示す図である。
【図１４】検査情報入力処理に関するフローチャートを示す図である。
【図１５】検査情報入力画面を示す図である。
【図１６】検査情報の内容を示す図である。
【図１７】検査必要性有無出力処理に関するフローチャートを示す図である。
【符号の説明】
【００４５】
１１……製造情報入力端末、１２……記憶装置、１３……ソフトウェア部（検査ルール入力手段、検査ルール記憶手段、原版情報入力手段、原版情報記憶手段、作業情報入力手段、作業情報記憶手段、検査情報手段、検査情報記憶手段、判定出力手段、入力者識別内容入力手段、検査ルール入力権限認証手段、原版情報入力権限認証手段、作業情報入力権限認証手段）、１４……製造装置、１５……パトライト装置、１６……検査情報入力端末、１７……作業情報入力端末、１００……ネットワークLAN。
【図１】
0004844870.tif 000002
【図２】
0004844870.tif 000003
【図３】
0004844870.tif 000004
【図４】
0004844870.tif 000005
【図５】
0004844870.tif 000006
【図６】
0004844870.tif 000007
【図７】
0004844870.tif 000008
【図８】
0004844870.tif 000009
【図９】
0004844870.tif 000010
【図１０】
0004844870.tif 000011
【図１１】
0004844870.tif 000012
【図１２】
0004844870.tif 000013
【図１３】
0004844870.tif 000014
【図１４】
0004844870.tif 000015
【図１５】
0004844870.tif 000016
【図１６】
0004844870.tif 000017
【図１７】
0004844870.tif 000018